(57)【要約】【課題】従来よりも構造を簡略化することができるキャップ付き容器及び容器入り飲食品を提供する。【解決手段】キャップ付き容器１０Ａは、天蓋２２と、前記天蓋２２の外縁に基端が接続された筒状の外壁部１８と、が設けられた蓋体１６Ａと、前記蓋体１６Ａに脱落自在に固定された底蓋２０と、を有するキャップ１２Ａと、開口に前記キャップ１２Ａが装着された、有底筒状の容器本体１４とを備え、前記外壁部１８は、雄ねじ２８が形成されたねじ領域２５と、前記底蓋２０が設けられ、前記ねじ領域２５より先端側に配置された開口領域２６とを有し、前記容器本体１４は、内周に、前記容器本体１４の内側へ突出する突起３０と、前記突起３０より開口側に、前記雄ねじ２８に相補的な雌ねじ３２と、を有する。【選択図】図１
2020033046.tif 000002
【特許請求の範囲】
【請求項１】
天蓋と、
前記天蓋の外縁に基端が接続された筒状の外壁部と、
が設けられた蓋体と、
前記蓋体に脱落自在に固定された底蓋と、
を有するキャップと、
開口に前記キャップが装着された、有底筒状の容器本体と
を備え、
前記外壁部は、
雄ねじが形成されたねじ領域と、
前記底蓋が設けられ、前記ねじ領域より先端側に配置された開口領域とを有し、
前記容器本体は、内周に、
前記容器本体の内側へ突出する突起と、
前記突起より開口側に、前記雄ねじに相補的な雌ねじと、を有する、
キャップ付き容器。
【請求項２】
前記突起は、前記容器本体の周方向に所定の間隔をあけて複数設けられている、
請求項１に記載のキャップ付き容器。
【請求項３】
前記突起は、前記容器本体の開口から底に向かって突出長さが漸増するテーパ形状であり、
前記底蓋の外周は、前記突起と相補的なテーパ形状を有する、
請求項１又は２に記載のキャップ付き容器。
【請求項４】
前記蓋体と前記底蓋で囲まれた収容部に収容された第１物質と、
前記容器本体内に収容された第２物質と
を備える請求項１〜３のいずれか１項に記載のキャップ付き容器。
【請求項５】
飲食品をキャップ付き容器内に収容してなる容器入り飲食品であって、
前記キャップ付き容器が、
天蓋と、
前記天蓋の外縁に基端が接続された筒状の外壁部と、
が設けられた蓋体と、
前記蓋体に脱落自在に固定された底蓋と、
を有するキャップと、
開口に前記キャップが装着された、有底筒状の容器本体と
を備え、
前記外壁部は、
雄ねじが形成されたねじ領域と、
前記底蓋が設けられ、前記ねじ領域より先端側に配置された開口領域とを有し、
前記容器本体は、内周に、
前記容器本体の内側へ突出する突起と、
前記突起より開口側に、前記雄ねじに相補的な雌ねじと、を有する、
容器入り飲食品。
【発明の詳細な説明】
【技術分野】
【０００１】
本発明は、キャップ付き容器及び容器入り飲食品に関するものである。
【背景技術】
【０００２】
従来、飲料が充填されたボトルの口部を塞ぐキャップとして、容器本体の口部に固定された漏斗状のパッキンと、筒体を有する蓋体と、パッキンの先端より下方に達した筒体の先端に脱落自在に設けられた押込み栓とを備えるキャップが開示されている（特許文献１、第１図）。筒体の内部には、物質が収容されている。キャップを開ける操作に伴い、押込み栓がパッキンの先端に接触して筒体から外れ、物質が筒体から容器本体内へ放出される。
【０００３】
また上記特許文献１には、有蓋筒体と、有蓋筒体の天板に接着剤で固定された金属キャップと、筒体の先端に設けられた押込み栓とを有するキャップと、内側へ突出する突縁を喉部に有する容器本体とを備える容器が開示されている（特許文献１、第３図）。天板と押込み栓で囲まれた筒体の内部には、物質が収容されている。キャップを開ける操作に伴い、押込み栓が突縁に接触して筒体から外れ、物質が筒体から容器本体内へ放出される。上記第３図の例は、パッキンを省略することができる点において、上記第１図の例と異なる。
【先行技術文献】
【特許文献】
【０００４】
【特許文献１】実公昭４４−１２９５７号公報
【発明の概要】
【発明が解決しようとする課題】
【０００５】
しかしながら、上記特許文献１の第３図の例では、パッキンを省略できるが、有底蓋体を容器本体に固定するねじ部と、物質を収容する収容部とを別に設ける必要があるため、全体として構造が複雑であるという問題があった。
【０００６】
本発明は、従来よりも構造を簡略化することができるキャップ付き容器及び容器入り飲食品を提供することを目的とする。
【課題を解決するための手段】
【０００７】
本発明に係るキャップ付き容器は、天蓋と、前記天蓋の外縁に基端が接続された筒状の外壁部と、が設けられた蓋体と、前記蓋体に脱落自在に固定された底蓋と、を有するキャップと、開口に前記キャップが装着された、有底筒状の容器本体とを備え、前記外壁部は、雄ねじが形成されたねじ領域と、前記底蓋が設けられ、前記ねじ領域より先端側に配置された開口領域とを有し、前記容器本体は、内周に、前記容器本体の内側へ突出する突起と、前記突起より開口側に、前記雄ねじに相補的な雌ねじと、を有する。
【０００８】
本発明に係る容器入り飲食品は、飲食品をキャップ付き容器内に収容してなる容器入り飲食品であって、前記キャップ付き容器が、天蓋と、前記天蓋の外縁に基端が接続された筒状の外壁部と、が設けられた蓋体と、前記蓋体に脱落自在に固定された底蓋と、を有するキャップと、開口に前記キャップが装着された、有底筒状の容器本体とを備え、前記外壁部は、雄ねじが形成されたねじ領域と、前記底蓋が設けられ、前記ねじ領域より先端側に配置された開口領域とを有し、前記容器本体は、内周に、前記容器本体の内側へ突出する突起と、前記突起より開口側に、前記雄ねじに相補的な雌ねじと、を有する。
【発明の効果】
【０００９】
本発明によれば、キャップ付き容器は、物質を収容する収容部と、容器本体に固定するための雄ねじとを、外壁部に設けたので、従来よりも構造を簡略化することができる。
【図面の簡単な説明】
【００１０】
【図１】第１実施形態に係るキャップ付き容器を示す断面図である。
【図２】第１実施形態に係るキャップを示す断面図である。
【図３】第１実施形態に係る容器本体を示す部分斜視図である。
【図４】第１実施形態に係るキャップ付き容器の部分拡大端面図である。
【図５】使用状態を段階的に示す断面図であり、図５Ａは蓋体に物質を収容した段階、図５Ｂは蓋体に底蓋を装着した段階を示す図である。
【図６】使用状態を段階的に示す断面図であり、図６Ａは容器本体にキャップを装着している途中の段階、図６Ｂは容器本体にキャップを装着した後の段階、図６Ｃはキャップ内の物質を容器内へ移す段階を示す図である。
【図７】第２実施形態に係るキャップ付き容器を示す断面図である。
【図８】第２実施形態の使用状態を示す断面図である。
【図９】第３実施形態に係るキャップ付き容器を示す部分断面図である。
【図１０】第３実施形態の使用状態を示す断面図である。
【発明を実施するための形態】
【００１１】
本発明に係るキャップ付き容器は、天蓋と、前記天蓋の外縁に基端が接続された筒状の外壁部と、が設けられた蓋体と、前記蓋体に脱落自在に固定された底蓋と、を有するキャップと、開口に前記キャップが装着された、有底筒状の容器本体とを備え、前記外壁部は、雄ねじが形成されたねじ領域と、前記底蓋が設けられ、前記ねじ領域より先端側に配置された開口領域とを有し、前記容器本体は、内周に、前記容器本体の内側へ突出する突起と、前記突起より開口側に、前記雄ねじに相補的な雌ねじと、を有する。
【００１２】
キャップは、蓋体と底蓋で囲まれた空間に物質を収容し、容器本体に装着される。キャップを開ける操作によって、底蓋が、容器本体の突起に接触し、蓋体から脱落する。底蓋が蓋体から脱落することによって、収容されていた物質が容器内へ放出される。
【００１３】
上記の様に、外壁部は、物質を収容する収容部と、容器本体に固定するための雄ねじとを有する。したがってキャップ付き容器は、従来のように収容部とねじとを別構成とする必要がないので、従来よりも構造を簡略化することができる。さらにキャップ付き容器は、底蓋を脱落させる部品を省略できるので、その分、部品点数を削減することができる。
【００１４】
物質は、飲食品であって、液体、固体、及び液体と固体の混合物を含む。「飲食品」とは、飲料、及び、飲料以外の食品を包含する。固体は、水などの溶媒に溶けるものと、溶けないものとを含む。固体は、粉末、錠剤、凍結乾燥によって固めたものなどを含む。物質としては、例えば、水、緑茶、コーヒー、紅茶、濃縮ミネラル、海洋深層水抽出ミネラル、健康食品、シリアル食品、粉ミルク、流動食、薬剤、濃縮果汁、乳製品、アルコール、濃縮野菜、スープ原料、ビタミン類、糖類、薬草類、発酵菌、タンパク質濃縮物、酸性原料などが挙げられる。
【００１５】
本発明に係るキャップ付き容器は、例えば、物質として粉ミルクを適用した場合、外気に曝さずに水と混合でき、衛生的かつ簡便な手順でミルクを作ることができるので好ましい。また、例えば、物質として酸性乳やたんぱく質飲料などを適用した場合、飲食時に、固体を液体に加えることにより、液体中に固体が分散した状態とする用時分散方式で摂取することができ、予め混合しておいた場合のような腐敗、劣化や物性変化を格段に抑制できるので好ましい。
【００１６】
以下、図面を参照して本発明の実施形態について詳細に説明する。
（全体構成）
図１に示すキャップ付き容器１０Ａは、キャップ１２Ａと、容器本体１４とを備える。キャップ付き容器１０Ａは全体として筒状である。本明細書において軸方向とは、キャップ付き容器１０Ａの中心軸方向をいう。
【００１７】
キャップ付き容器１０Ａは、例えば、金属缶や、合成樹脂製容器包装、合成樹脂ラミネート容器包装、又はこれらの組合せ容器包装に適用することができる。金属缶の場合は、キャップ１２Ａ及び容器本体１４が金属である場合に限らず、開口部分を密閉するため、合成樹脂製のキャップ１２Ａを使用してもよい。金属としては、アルミニウムや鋼などを用いることができる。キャップ１２Ａに使用する合成樹脂は、ポリエチレン、エチレン・１−アルケン共重合樹脂又はポリエチレンテレフタレートなどを用いることができる。合成樹脂製容器包装は、単層の合成樹脂層からなる容器包装をいう。合成樹脂としては、ポリエチレン、エチレン・１−アルケン共重合樹脂又はポリエチレンテレフタレートなどを用いることができる。合成樹脂ラミネート容器包装は、合成樹脂にアルミニウム箔を貼り合わせた容器包装、これにセロファン若しくは紙を貼り合わせた容器包装、又は複数の合成樹脂層を貼り合わせた多層ラミネート容器包装をいう。合成樹脂ラミネート容器包装にあっては、内容物に直接接触する部分にポリエチレン、エチレン・１−アルケン共重合樹脂又はポリエチレンテレフタレートなどを用いることができる。
【００１８】
図２に示すように、キャップ１２Ａは、蓋体１６Ａと、底蓋２０とを有する。蓋体１６Ａは、筒状の外壁部１８を有し、基端が天蓋２２で塞がれている。天蓋２２は円盤状の部材である。外壁部１８は、基端において天蓋２２の外周縁に接続されており、先端に底蓋２０が脱落自在に固定されている。外壁部１８は、基端から先端に向かって、把持領域２４、ねじ領域２５、開口領域２６が順に配置されている。キャップ１２Ａには、天蓋２２、外壁部１８、底蓋２０で囲まれた収容部２７が形成される。収容部２７内には、上記物質の中から選ばれた１種以上の物質（第１物質、本図には図示しない）が収容される。
【００１９】
把持領域２４は、キャップ１２Ａが容器本体１４に装着された際に、天蓋２２と共に外部に露出する部分である。把持領域２４の外径は、外壁部１８の中で最も大きく、本実施形態の場合、容器本体１４の外径と同じである。ねじ領域２５は、基端においてシール面３６を介して把持領域２４の先端に接続され、把持領域２４より外径が小さく、全周に雄ねじ２８が形成されている。シール面３６は、外壁部１８の半径方向に平行な面を有する。開口領域２６は、基端においてねじ領域２５の先端に接続され、ねじ領域２５より外径が小さく、先端に底蓋２０が脱落自在に固定されている。開口領域２６の外周面には、全周にわたって溝３７が形成されている。
【００２０】
底蓋２０は、円盤状の板部２１と、板部２１の外縁に形成されたシール部２３と、シール部２３の外側に配置された凸部３３と、最外縁に設けられた返し部３８とを有する。シール部２３は、開口領域２６の内径より若干大きい外径を有する筒状であり、一端が板部２１に接続され、他端が環状の外周板部４１の内縁に接続されている。外周板部４１の外縁には軸方向に突出した凸部３３が接続されている。凸部３３は、シール部２３と同心円状に配置された筒状であって、開口領域２６の溝に嵌る突条３９を有する。凸部３３の外周には返し部３８が一体に形成されている。返し部３８は、板部２１の半径方向へ突出しており、外周板部４１から板部２１へ向かって突出長さが漸増するテーパ形状を有する。
【００２１】
容器本体１４は、底部１５と、底部１５の外縁に一体に形成され、先端に開口を有する筒部１７とを備える、有底筒状の部材である（図１）。容器本体１４は、開口部分の内周面に、蓋体１６Ａの雄ねじ２８に相補的な雌ねじ３２と、雌ねじ３２より底部１５側に容器本体１４の内側へ突出する突起３０とを有する。
【００２２】
突起３０は、キャップ１２Ａが容器本体１４に装着された際、返し部３８より、容器本体１４の開口側に配置される。突起３０は、容器本体１４の開口から底部１５に向かって突出長さが漸増するテーパ形状を有する。突出長さは、容器本体１４の内周面に垂直な方向の長さである。
【００２３】
突起３０は、図３に示すように、容器本体１４の周方向に、所定の間隔をあけて複数個、本図の場合、４個配置される。突起３０の大きさは、適宜選択することができるが、例えば、容器本体１４の内径が54mmの場合、突起３０の周方向長さは2mm〜5mm程度であるのが好ましい。容器本体１４内には、第１物質とは別の上記物質の中から選ばれた１種以上の物質（第２物質、本図には図示しない）が収容される。
【００２４】
図４に示すように、底蓋２０の返し部３８と、容器本体１４の突起３０は、相補的な形状であるのが好ましい。底蓋２０の外径は、容器本体１４の内径より小さく、複数の突起３０の先端同士をつなぐ円弧で規定される円の内径より大きい。すなわち返し部３８の外縁と、突起３０の先端は、容器本体１４の軸方向からみて、重なるように形成されている。本明細書では、キャップ１２Ａが容器本体１４内に進入する際に突起３０と返し部３８が互いに接触する面を進入面４３，４５、キャップ１２Ａが容器本体１４の開口へ退避する際に突起３０と返し部３８が互いに接触する面を返し面４７，４９と呼ぶ。
【００２５】
突起３０の進入面４３と、中心軸に平行な方向とのなす角（以下、容器側進入角度）θb1と、進入面４３と返し面４７とのなす角度θb3との平均値は、４５度以下であるのが好ましい。突起３０の返し面４７と、中心軸に平行な方向とのなす角（以下、容器側進入角度）θb2は、９０度以上であるのが好ましい。
【００２６】
返し部３８の進入面４５と中心軸に平行な方向とのなす角（以下、キャップ側進入角度）θc1と、進入面４５と返し面４９とのなす角度θc3との平均値は、４５度以下であるのが好ましい。返し部３８の返し面４９と、中心軸に平行な方向とのなす角（以下、キャップ側返し角度）θc2は、９０度以上であるのが好ましい。
【００２７】
上記のように、角度θb1、θb2、θb3、θc1、θc2、θc3を規定することによって、突起３０は、開口側から底部１５側へ向かうキャップ１２Ａに固定された底蓋２０の移動をより確実に許容すると共に、底部１５側から開口側へ向かうキャップ１２Ａに固定された底蓋２０の移動をより確実に止める。
【００２８】
（使用方法）
キャップ付き容器１０Ａに物質を入れる手順について説明する。一例として、第１物質として粉体、第２物質として液体を適用する場合について説明する。まず図５に示すように、蓋体１６Ａの天蓋２２を下向きとし、上向きとなった開口から収容部２７へ第１物質４０を入れる（図５Ａ）。次いで、外壁部１８の先端が外周板部４１に接触するまで、底蓋２０を開口に挿入する（図５Ｂ）。底蓋２０は、シール部２３が開口領域２６の内周面に接触することによって、蓋体１６Ａを閉塞する。このようにして、第１物質４０が収容部２７に収容されたキャップ１２Ａが得られる。
【００２９】
天蓋２２を上向きとし、雄ねじ２８を雌ねじ３２にねじ込むことによって、予め第２物質４２を入れておいた容器本体１４にキャップ１２Ａを装着する（図６Ａ）。蓋体１６Ａは閉方向への回転によって軸方向の下向きに移動する。返し部３８は、進入面４５が突起３０の進入面４３に接触すると、返し部３８及び突起３０が相補的なテーパ形状であることから、突起３０に対し半径方向外側（図中、実線矢印方向）へ、返し部３８に対し半径方向内側（図中、破線矢印方向）へ力が生じる。突起３０に対する半径方向外側の力によって、容器本体１４が半径方向に広がるように弾性変形する。容器本体１４を弾性変形させながら、キャップ１２Ａは、容器本体１４内へ進入する。返し部３８が突起３０を通過すると、半径方向の力がなくなり、容器本体１４は弾性変形して元の形状に復帰する（図６Ｂ）。容器本体１４は、容器本体１４の開口端がシール面３６に接触するまでキャップ１２Ａが閉方向へ回転されることによって、密閉される。以上のようにして、第１物質４０と第２物質４２が分離した状態で収容されたキャップ付き容器１０Ａが得られる。
【００３０】
次にキャップ１２Ａに収容された第１物質４０を、容器本体１４内へ移す場合の作用について説明する。蓋体１６Ａを開方向へ回転する。蓋体１６Ａは回転によって軸方向の上向きに移動する。蓋体１６Ａが上向きに移動することによって、返し部３８の返し面４９が、突起３０の返し面４７に接触する。キャップ側返し角度θC2、容器側返し角度θb2がそれぞれ９０度以上であることから、返し部３８及び突起３０に対し軸方向下向きの力、及び突起３０に対し半径方向内側（図中、破線矢印方向）、返し部３８に対し半径方向外側（図中、実線矢印方向）への力が生じる。
【００３１】
上記力は、蓋体１６Ａが上向きに移動し軸方向の力が大きくなるほど、大きくなる。したがって蓋体１６Ａが上向きに移動することによって、底蓋の上向きへの移動を遮る力が大きくなる。当該力によって、底蓋２０が外壁部１８の先端から脱落し、容器本体１４内へ落下する（図６Ｃ）。底蓋２０と共に、第１物質４０が容器本体１４内へ落下する。容器本体１４内へ落下した第１物質４０は、容器本体１４に収容された第２物質４２に混ざる。容器本体１４内へ落下した底蓋２０は、キャップ付き容器１０Ａが振られた場合、撹拌子として機能し、第１物質４０と第２物質４２をより効率的に混合する。
【００３２】
なお、開方向へ一旦回転された蓋体１６Ａは、閉方向に再び回転され容器本体１４の開口端がシール面３６に接触することによって、容器本体１４を密閉する。混合終了後、蓋体１６Ａを開けることによって、容器本体１４内の飲食品をユーザーが飲むことができる。
【００３３】
（作用及び効果）
キャップ付き容器１０Ａは、蓋体１６Ａ、底蓋２０、及び容器本体１４を備えることによって、第１物質４０と第２物質４２を分離した状態で保持し、キャップ１２Ａを開ける操作によって上記第１物質４０と第２物質４２を混合することができる。外壁部１８は、キャップ１２Ａを容器本体１４に固定する雄ねじ２８と、第１物質を収容する収容部２７とを有するので、従来よりも構造を簡略化することができる。またキャップ付き容器１０Ａは、底蓋２０に接触する部品を省略できるので、従来よりも部品点数を削減することができる。
【００３４】
キャップ付き容器１０Ａは、底蓋２０に手を触れずに、かつ第１物質４０を外気に曝さずに容器本体１４内へ移すことができるので、より衛生的かつ簡便な手順で飲食品を得ることができる。
【００３５】
キャップ付き容器１０Ａは、ユーザーが飲む直前に、第１物質４０と第２物質４２とを混合することができるので、より汎用性が高い。例えば、従来、高いたんぱく質の補給を目的とした酸性飲料を製造すると、たんぱく質が沈殿してしまい、安定した品質を得ることが困難であるという問題があった。これに対し、本実施形態のキャップ付き容器１０Ａは、例えば第１物質４０としてたんぱく質濃縮粉末をキャップ１２Ａに収容し、第２物質４２として酸性原料水を容器本体１４に収容しておき、ユーザーが飲む直前に混合することによって、たんぱく質が沈殿する前の酸性飲料をユーザーに提供することができる。
【００３６】
（変形例）
本発明は上記実施形態に限定されるものではなく、本発明の趣旨の範囲内で適宜変更することが可能である。
【００３７】
上記実施形態の場合、蓋体１６Ａは、天蓋２２で基端が閉塞されている場合について説明したが、本発明はこれに限らない。例えば、図７に示すキャップ付き容器１０Ｂは、キャップ１２Ｂと容器本体１４とを備える。キャップ１２Ｂの蓋体１６Ｂは、開口４６を有する天蓋４４を備える。蓋体１６Ｂは、外側キャップ４８で覆われ、密閉されている。外側キャップ４８と蓋体１６Ｂは、それぞれ相補的なねじを有し、外側キャップ４８を蓋体１６Ｂにねじ込むことによって、固定することができる。
【００３８】
蓋体１６Ｂを開ける操作をすることによって、上記実施形態と同様、底蓋２０を外壁部１８から脱落させ、第１物質４０を容器本体１４内へ移すことができる。第１物質４０と第２物質４２を混合した後、外側キャップ４８を蓋体１６Ｂから取り外す。次いで、図８に示すように蓋体１６Ｂの開口４６に飲み口（例えば人工乳首）５０を装着する。本変形例によれば、第１物質４０、例えば粉ミルクを外気に曝さずに第２物質４２、例えば水と混合できるので、衛生的かつ簡便な手順で飲食品としてのミルク５１を作ることができる。
【００３９】
なお、飲み口は、外側キャップを取り外した後、蓋体に装着する場合に限らず、蓋体と予め一体的に形成してもよい。この場合、外側キャップは、飲み口を覆うように形成される。
【００４０】
上記実施形態の場合、キャップ１２Ａは１種類の物質（第１物質）を収容する場合について説明したが、本発明はこれに限らない。図９に示すキャップ付き容器１０Ｃは、キャップ１２Ｃと容器本体１４とを備える。キャップ１２Ｃの蓋体１６Ｃは、外壁部１８と、外壁部１８と同心円状であって外壁部１８の内側に配置された筒状の内壁部５２とを有する。外壁部１８と内壁部５２は、天蓋２２を介して一体に形成されている。内壁部５２は、基端において、天蓋２２の表面に接続されている。蓋体１６Ｃは、内壁部５２で囲まれた円柱状の第１収容部５４と、外壁部１８と内壁部５２で囲まれた環状の第２収容部５６とを有する。第１収容部５４及び第２収容部５６は、外壁部１８及び内壁部５２の先端に設けられた底蓋５８によって密閉されている。第１収容部５４には第１物質４０、第２収容部５６には、第１物質４０及び第２物質（本図には図示しない）とは異なる、上記物質の中から選ばれた１種以上の第３物質６０が収容される。
【００４１】
底蓋５８は、円盤状の板部２１と、板部２１の外縁に形成されたシール部２３と、シール部２３の外側に配置された凸部３３と、最外縁に設けられた返し部３８と、板部２１の表面に設けられた筒状の内側シール部６２とを有する。底蓋５８は、内側シール部６２を内壁部５２に差し込み、外壁部１８の先端が外周板部４１に接触するまで、開口に挿入される。底蓋５８は、シール部２３が外壁部１８の内周面に接触し、内側シール部６２が内壁部５２の内周面に接触することによって、蓋体１６Ｃを閉塞する。
【００４２】
このようにして、第１物質４０及び第３物質６０が収容されたキャップ１２Ｃが得られる。蓋体１６Ｃを開ける操作をすることによって、上記実施形態と同様、底蓋５８を外壁部１８及び内壁部５２から脱落させ、第１物質４０及び第３物質６０を容器本体１４内へ移すことができる（図１０）。本変形例によれば、第１物質４０及び第３物質６０と、第２物質とを混合した飲食品を得ることができる。
【００４３】
上記実施形態の場合、突起３０は、４個設けた場合について説明したが、本発明はこれに限らず、２個や３個でもよいし、５個以上でもよい。突起３０の進入面４３及び返し部３８の進入面４５は、平坦である場合について説明したが、本発明はこれに限らず、曲面、例えば、外側に突出した湾曲面であってもよい。
【００４４】
上記実施形態の場合、キャップ１２Ａを容器本体１４に装着する際、突起３０に対し半径方向外側方向の力によって、半径方向に広がるように容器が弾性変形する場合について説明したが、本発明はこれに限らない。キャップ１２Ａを容器本体１４に装着する際、返し部３８に対する半径方向内側の力によって、返し部３８が内側へ弾性変形しながら、キャップ１２Ａが容器本体１４内へ進入するようにしてもよい。
【符号の説明】
【００４５】
１０Ａ、１０Ｂ、１０Ｃ  キャップ付き容器
１２Ａ、１２Ｂ、１２Ｃ  キャップ
１４  容器本体
１８  外壁部
２０  底蓋
２２，４４  天蓋
２５  ねじ領域
２６  開口領域
２７  収容部
２８  雄ねじ
３０  突起
３２  雌ねじ
４０  第１物質
４２  第２物質
５１  ミルク（飲食品）
５４  第１収容部
５６  第２収容部
【図１】
2020033046.tif 000003
【図２】
2020033046.tif 000004
【図３】
2020033046.tif 000005
【図４】
2020033046.tif 000006
【図５】
2020033046.tif 000007
【図６】
2020033046.tif 000008
【図７】
2020033046.tif 000009
【図８】
2020033046.tif 000010
【図９】
2020033046.tif 000011
【図１０】
2020033046.tif 000012